(57)【要約】【課題】  ユーザが極めて簡単な操作にて懸賞に応募でき、簡単且つ安全に懸賞当選賞品を獲得することができる懸賞システム及びこれに使用する情報処理装置及び情報処理方法を提供する。【解決手段】  懸賞システム１０１は、ＵＩＤが予め記録された次世代ＭＤ２等のディスク１０２を利用して懸賞応募する懸賞サービスを提供するものであり、ディスク１０２から記録再生装置１０３を介してＵＩＤを読み出す通信制御装置１０４と、通信制御装置１０４とネットワーク１０５を介して接続された懸賞管理サーバ１０６とを有する。この懸賞システム１０１は、ディスク１０２のＵＩＤにて懸賞に応募し、懸賞品としてディスク１０２に格納可能なコンテンツをユーザが取得するものであって、通信制御装置１０４が懸賞管理サーバ１０６に接続して懸賞を獲得する一連の操作を自動的に行うことができる。【選択図】  図１
2005078594.tif 000002
【特許請求の範囲】
【請求項１】
データ記録領域を有し記録媒体自体を識別する固有の媒体識別情報が記録された記録媒体から該媒体識別情報を読み出す読出手段と、
上記媒体識別情報を使用した懸賞に応募するために上記読み出した媒体識別情報をネットワークを介して送信する送信手段と、
上記懸賞に当選した場合に懸賞当選賞品に関する情報を受信する受信手段と
を有することを特徴とする情報処理装置。
【請求項２】
上記懸賞当選賞品に関する情報は、上記記録媒体に記録可能なコンテンツである
ことを特徴とする請求項１記載の情報処理装置。
【請求項３】
上記懸賞当選賞品に関する情報は、ネットワーク上でコンテンツを購入可能な金銭情報である
ことを特徴とする請求項１記載の情報処理装置。
【請求項４】
上記懸賞当選賞品に関する情報を上記記録媒体に記録させる記録処理手段を有する
ことを特徴とする請求項１記載の情報処理装置。
【請求項５】
上記読出手段は、上記媒体識別情報と共に上記懸賞の応募先を示すアドレス情報を読み出し、
上記送信手段は、上記媒体識別情報を上記アドレス情報が示すアドレスに送信する
ことを特徴とする請求項１記載の情報処理装置。
【請求項６】
上記アドレス情報は、上記記録媒体の記録領域に記録されたものであって、懸賞応募処理が終了すると自動的に削除される
ことを特徴とする請求項５記載の情報処理装置。
【請求項７】
上記読出手段は、上記媒体識別情報と共に該媒体識別情報を上記懸賞に自動的に応募する自動送信プログラムを読み出し、
上記自動送信プログラムに従って上記懸賞に応募する
ことを特徴とする請求項１記載の情報処理装置。
【請求項８】
上記自動送信プログラムは、上記記録媒体の記録領域に記録されたものであって、懸賞応募処理が終了すると自動的に削除される
ことを特徴とする請求項７記載の情報処理装置。
【請求項９】
上記記録媒体は、データが記録されるトラックが蛇行形成された第１の領域と、蛇行したトラックが未形成の第２の領域とを有し、
上記第２の領域に上記媒体識別情報が記録される
ことを特徴とする請求項１記載の情報処理装置。
【請求項１０】
上記記録媒体の上記第１の領域のトラックは、データが記録される位置を示すアドレス情報に対応して変調された変調信号に基づいて蛇行されており、上記媒体識別情報は上記アドレス情報と同じフォーマットで記録されている
ことを特徴とする請求項９記載の情報処理装置。
【請求項１１】
上記記録媒体の上記第１の領域のトラックは、データが記録される位置を示すアドレス情報に対応して所定の周波数のキャリアを周波数変調したアドレス変調信号に基づいて蛇行している
ことを特徴とする請求項９記載の情報処理装置。
【請求項１２】
上記記録媒体の上記媒体識別情報は、光磁気記録される
ことを特徴とする請求項９記載の情報処理装置。
【請求項１３】
上記記録媒体の上記媒体識別情報は、複数箇所に重複して記録される
ことを特徴とする請求項９記載の情報処理装置。
【請求項１４】
上記記録媒体はディスク状であり、上記媒体識別情報の記録開始位置は、上記記録媒体の記録面上の１放射線上に位置する
ことを特徴とする請求項１３記載の情報処理装置。
【請求項１５】
上記記録媒体に上記複数箇所に重複して記録される上記媒体識別情報は、各識別惰報が隣接するように同心円状又は螺旋状に記録される
ことを特徴とする請求項１４記載の情報処理装置。
【請求項１６】
上記記録媒体の上記第１の領域に記録されている情報は磁壁移動検出方式に基づいて読み出され、上記第２の領域に記録されている上記媒体識別情報は上記磁壁移動検出方式とは異なる方法により読み出される
ことを特徴とする請求項９記載の情報処理装置。
【請求項１７】
上記記録媒体の上記第２の領域は上記第１の領域より内周側に設けられる
ことを特徴とする請求項９記載の情報処理装置。
【請求項１８】
データ記録領域を有し記録媒体自体を識別する固有の媒体識別情報が記録された記録媒体から該媒体識別情報を読み出す読出工程と、
上記媒体識別情報を使用した懸賞に応募するために上記読み出した媒体識別情報をネットワークを介して送信する送信工程と、
上記懸賞に当選した場合に懸賞当選賞品に関する情報を受信する受信工程と
を有することを特徴とする情報処理方法。
【請求項１９】
上記懸賞当選賞品に関する情報は、上記記録媒体に記録可能なコンテンツである
ことを特徴とする請求項１８記載の情報処理方法。
【請求項２０】
上記懸賞当選賞品に関する情報を上記記録媒体に記録させる記録処理工程を有する
ことを特徴とする請求項１８記載の情報処理方法。
【請求項２１】
上記読出工程では、上記媒体識別情報と共に上記懸賞の応募先を示すアドレス情報を読み出し、
上記送信工程では、上記媒体識別情報を上記アドレス情報が示すアドレスに送信する
ことを特徴とする請求項１８記載の情報処理方法。
【請求項２２】
上記受信工程の後工程として、上記アドレス情報を削除する工程を有する
ことを特徴とする請求項２１記載の情報処理方法。
【請求項２３】
上記記録媒体は、データが記録されるトラックが蛇行形成された第１の領域と、蛇行したトラックが未形成の第２の領域とを有し、
上記第２の領域に上記媒体識別情報が記録される
ことを特徴とする請求項１８記載の情報処理方法。
【請求項２４】
データ記録領域を有し記録媒体自体を識別する固有の媒体識別情報が記録された記録媒体を使用した懸賞システムであって、
上記記録媒体の上記媒体識別情報を使用して懸賞応募する情報処理装置と、
上記応募を受け付け、上記懸賞に当選した媒体識別情報を選別する懸賞管理サーバとを有し、
上記情報処理装置は、
上記記録媒体から上記媒体識別情報を読み出す読出手段と、
上記媒体識別情報を上記懸賞管理サーバにネットワークを介して送信する識別情報送信手段と、
上記懸賞に当選した場合に懸賞当選賞品に関する情報を受信する当選情報受信手段とを有し、
上記懸賞管理サーバは、
上記媒体識別情報を受信する識別情報受信手段と、
上記媒体識別情報が当選か否かを判定する当選判定手段と、
上記当選した媒体識別情報を送信した情報処理装置に対して上記懸賞当選賞品に関する情報を送信する当選情報送信手段とを有する
ことを特徴とする懸賞システム。
【請求項２５】
上記情報処理装置からのデータを受信するデータ受信手段及び上記記録媒体にデータを記録する記録手段を備えた記録装置を有し、
上記記録装置は、上記データ受信手段により上記情報処理装置から上記懸賞当選賞品に関する情報を受信し、上記記録手段により該懸賞当選商品に関する情報を上記記録媒体に記録する
ことを特徴とする請求項２４記載の懸賞システム。
【請求項２６】
上記情報処理装置は、上記記録媒体にデータを記録する記録手段を有し、上記当選情報受信手段にて受信した上記懸賞当選賞品に関する情報を上記記録手段により上記記録媒体に記録する
ことを特徴とする請求項２４記載の懸賞システム。
【請求項２７】
上記懸賞当選賞品に関する情報は、上記記録媒体に記録可能なコンテンツである
ことを特徴とする請求項２４記載の懸賞システム。
【請求項２８】
上記懸賞当選賞品に関する情報は、ネットワーク上でコンテンツを購入可能な金銭情報である
ことを特徴とする請求項２４記載の懸賞システム。
【請求項２９】
上記情報処理装置は、上記読出手段により上記記録媒体から上記媒体識別情報と共に上記懸賞管理サーバのアドレス情報を読み出し、上記識別情報送信手段により、該アドレス情報に基づき上記懸賞管理サーバに上記媒体識別情報を送信する
ことを特徴とする請求項２４記載の懸賞システム。
【請求項３０】
上記アドレス情報は、上記記録媒体の記録領域に記録されたものであって、懸賞応募処理が終了すると自動的に削除される
ことを特徴とする請求項２９記載の懸賞システム。
【請求項３１】
上記懸賞管理サーバは、当選データベースを参照し、上記当選判定手段により上記受信した媒体識別情報が当選しているか否かを判定する
ことを特徴とする請求項２４記載の懸賞システム。
【請求項３２】
上記懸賞管理サーバは、上記当選判定手段により、上記応募毎に抽選して上記懸賞の当選を決定する
ことを特徴とする請求項２４記載の懸賞システム。
【請求項３３】
上記懸賞は、等級を有し、
上記当選データベースは、上記媒体識別情報のうち当選の当選媒体識別情報と上記等級とが対応付けされたものである
ことを特徴とする請求項３１記載の懸賞システム。
【請求項３４】
上記懸賞管理サーバの上記当選情報送信手段は、等級データベースを参照し、上記等級に応じた上記懸賞当選賞品に関する情報を送信する
ことを特徴とする請求項３３記載の懸賞システム。
【請求項３５】
上記金銭情報を管理する金銭管理サーバと
上記懸賞に当選した場合に送られる金銭情報の一部又は全部を対価としてコンテンツを提供するコンテンツ提供サーバとを有する
ことを特徴とする請求項２８記載の懸賞システム。
【請求項３６】
上記情報処理装置は、上記懸賞に当選した場合に送られる金銭情報の一部又は全部を対価として上記コンテンツ提供サーバからコンテンツを購入し、
上記金銭管理サーバは、上記コンテンツの購入に応じて、上記媒体識別情報と上記金銭情報とが対応付けられた残金データベースを書き換える残金管理手段を有する
ことを特徴とする請求項３５記載の懸賞システム。
【請求項３７】
上記記録媒体は、データが記録されるトラックが蛇行形成された第１の領域と、蛇行したトラックが未形成の第２の領域とを有し、
上記第２の領域に上記媒体識別情報が記録される
ことを特徴とする請求項２４記載の懸賞システム。
【発明の詳細な説明】
【技術分野】
【０００１】
本発明は、固有な識別情報（ＵｎｉｑｕｅＩＤ）を有するメディアを利用し、ネットワークを利用して懸賞に応募するための情報処理装置及び情報処理方法、並びにその懸賞システムに関する。
【背景技術】
【０００２】
近時、インターネットを利用した懸賞応募が急増している。インターネットを利用した懸賞は、ユーザがＰＣ等、インターネットに接続可能な通信端末を使用して手軽で簡単に応募することができる。
【０００３】
例えば下記特許文献１には、商品に記録されているバーコード等の商品識別コードにより懸賞応募が可能な商品情報提供装置、及びこの商品識別コードに当選が設定されている場合に、その当選結果を商品購入者に送信する懸賞情報提供装置が開示されている。
【０００４】
【特許文献１】特開２０００２−９２２１４号公報
【発明の開示】
【発明が解決しようとする課題】
【０００５】
しかしながら、上記特許文献１に記載の技術においては、商品購入者は、懸賞に応募する際には、懸賞応募先、即ち懸賞判定を行うメーカサーバに対し、商品コードや、メーカサーバのＵＲＬ（Universal Resource Locator）をユーザ（懸賞応募者）が手入力等し、これを受け取ったメーカサーバが懸賞に当選しているか否かを判定し、その懸賞がユーザに発送される。
【０００６】
従って、メーカサーバは、懸賞応募者のメールアドレス、住所及び製品個別番号等を管理するメールアドレスファイルや、懸賞当選者の住所、氏名、景品名、商品コード等を記憶した発送ファイル等を有し、これを参照して景品の発送を行う。即ち、懸賞応募者は、懸賞応募する際に、住所等の個人情報を入力する必要があり、操作が煩雑であると共に、安全性に欠けるという問題点がある。
【０００７】
本発明は、このような従来の実情に鑑みて提案されたものであり、ユーザが極めて簡単な操作にて懸賞に応募でき、簡単且つ安全に懸賞当選賞品を獲得することができる懸賞システム及びこれに使用する情報処理装置及び情報処理方法を提供することを目的とする。
【課題を解決するための手段】
【０００８】
上述した目的を達成するために、本発明に係る情報処理装置は、データ記録領域を有し記録媒体自体を識別する固有の媒体識別情報が記録された記録媒体から該固有の媒体識別情報を読み出す読出手段と、上記固有の媒体識別情報を使用した懸賞に応募するために上記読み出した固有の媒体識別情報をネットワークを介して送信する送信手段と、上記懸賞に当選した場合に懸賞当選賞品に関する情報を受信する受信手段とを有することを特徴とする。
【０００９】
本発明においては、記録媒体自体を識別する固有の媒体識別情報を利用して懸賞応募するため、懸賞応募に際して応募者は住所等の個人情報を入力したり登録したりする必要がなく極めて簡単且つ安全に懸賞応募することができる。
【００１０】
また、上記懸賞当選賞品に関する情報は、上記記録媒体に記録可能な例えばオーディオデータ等のコンテンツとすることができ、記録媒体を使用して懸賞当選賞品として受け取ったコンテンツを当該記録媒体に記録することができる。
【００１１】
更に、上記懸賞当選賞品に関する情報は、ネットワーク上でコンテンツを購入可能な金銭情報であってもよく、この金銭情報によりコンテンツ等を購入し懸賞応募した記録媒体に記録することができる。
【００１２】
更にまた、上記懸賞当選賞品に関する情報を外部機器に伝送する伝送手段を有し、上記伝送手段は、上記懸賞当選賞品に関する情報を上記記録媒体に記録する記録手段を有する上記外部機器に伝送することができ、ＰＣ等の情報処理装置を介して記録媒体に記録可能な外部機器から懸賞応募し、懸賞当選賞品を受け取って当該記録媒体に記録することができる。
【００１３】
また、上記記録媒体にデータを記録する記録手段を有し、上記記録手段は、上記受信した懸賞当選賞品に関する情報を上記記録媒体に記録することができ、通信機能を有する記録装置を使用することができる。
【００１４】
更に、上記読出手段は、上記媒体識別情報と共に上記懸賞の応募先を示すアドレス情報、又は該媒体識別情報を上記懸賞に自動的に応募する自動送信プログラムを読み出し、上記送信手段は、上記媒体識別情報を上記アドレス情報が示すアドレスに送信するか、又は上記自動送信プログラムに従って上記懸賞に応募することができ、更に簡単に懸賞応募することができると共に、上記アドレス情報又は自動送信プログラムは、上記記録媒体の記録領域に記録されたものであって、懸賞応募処理が終了すると自動的に削除されるものとすることができ、懸賞応募終了時には不要となるデータを削除することで記録媒体の記録容量を減らすことがない。
【００１５】
更にまた、上記記録媒体は、データが記録されるトラックが蛇行形成された第１の領域と、蛇行したトラックが未形成の第２の領域とを有し、上記第２の領域に上記媒体識別情報が記録されるものとすることができ、ディスク固有の媒体識別情報を記録する領域を記録容量の増加等の妨げにならない場所に、且つ読み出し機構、読み出し処理を複雑にすることなく設けることができる。
【００１６】
本発明に係る情報処理方法は、データ記録領域を有し記録媒体自体を識別する媒体識別情報が記録された記録媒体から該媒体識別情報を読み出す読出工程と、上記媒体識別情報を使用した懸賞に応募するために上記読み出した媒体識別情報をネットワークを介して送信する送信工程と、上記懸賞に当選した場合に懸賞当選賞品に関する情報を受信する受信工程とを有することを特徴とする。
【００１７】
本発明に係る懸賞システムは、データ記録領域を有し記録媒体自体を識別する固有の媒体識別情報が記録された記録媒体を使用した懸賞システムであって、上記記録媒体の上記媒体識別情報を使用して懸賞応募する情報処理装置と、上記応募を受け付け、上記懸賞に当選した媒体識別情報を選別する懸賞管理サーバとを有し、上記情報処理装置は、上記記録媒体から上記媒体識別情報を読み出す読出手段と、上記媒体識別情報を上記懸賞管理サーバにネットワークを介して送信する識別情報送信手段と、上記懸賞に当選した場合に懸賞当選賞品に関する情報を受信する当選情報受信手段とを有し、上記懸賞管理サーバは、上記媒体識別情報を受信する識別情報受信手段と、上記媒体識別情報が当選か否かを判定する当選判定手段と、上記当選した媒体識別情報を送信した情報処理装置に対して上記懸賞当選賞品に関する情報を送信する当選情報送信手段とを有することを特徴とする。
【００１８】
本発明においては、記録媒体に付された固有の媒体識別情報を使用してネットワークを介して懸賞応募するため、懸賞に当選した場合には、送信されてくる懸賞当選賞品に関する情報を受信するのみでよく、住所等の登録作業が不要で簡単且つ安全に懸賞応募が可能となる。
【００１９】
また、上記懸賞管理サーバは、当選データベースを参照し、上記当選判定手段により上記受信した媒体識別情報が当選しているか否かを判定するか、上記当選判定手段により、上記応募毎に抽選して上記懸賞の当選を決定することができ、また、懸賞の等級等もデータベースを参照するか又は抽選等により決定してもよい。
【００２０】
更に、上記金銭情報を管理する金銭管理サーバと、上記懸賞に当選した場合に送られる金銭情報の一部又は全部を対価としてコンテンツを提供するコンテンツ提供サーバとを有することができ、懸賞当選賞品として金銭情報が送られてきた場合には、これを対価としてコンテンツを購入することができる。
【発明の効果】
【００２１】
本発明に係る情報処理装置及び情報処理方法によれば、データ記録領域を有し記録媒体自体を識別する固有の媒体識別情報が記録された記録媒体から該媒体識別情報を読み出し、上記媒体識別情報を使用した懸賞に応募するために上記読み出した媒体識別情報をネットワークを介して送信し、上記懸賞に当選した場合に懸賞当選賞品に関する情報を受信するので、記録媒体自体を識別する媒体識別情報を利用して懸賞応募することで、応募者は、懸賞応募に際して住所等の個人情報を入力したり登録したりする必要がなく極めて簡単且つ安全に懸賞応募することができ、また記録媒体製造者は懸賞という付加価値のある記録媒体を提供することができる。
【００２２】
本発明に係る懸賞システムによればデータ記録領域を有し記録媒体自体を識別する固有の媒体識別情報が記録された記録媒体を使用した懸賞システムであって、上記記録媒体の上記媒体識別情報を使用して懸賞応募する情報処理装置と、上記応募を受け付け、上記懸賞に当選した媒体識別情報を選別する懸賞管理サーバとを有し、上記情報処理装置は、上記記録媒体から上記媒体識別情報を読み出す読出手段と、上記媒体識別情報を上記懸賞管理サーバにネットワークを介して送信する識別情報送信手段と、上記懸賞に当選した場合に懸賞当選賞品に関する情報を受信する当選情報受信手段とを有し、上記懸賞管理サーバは、上記媒体識別情報を受信する識別情報受信手段と、上記媒体識別情報が当選か否かを判定する当選判定手段と、上記当選した媒体識別情報を送信した情報処理装置に対して上記懸賞当選賞品に関する情報を送信する当選情報送信手段とを有することを特徴とするので、ユーザが記録媒体に付された媒体識別情報を使用してネットワークを介して懸賞応募することができ、懸賞に当選した場合には、送信されてくる懸賞品に関する情報を受信するのみでよく、住所等の登録作業が不要で簡単且つ安全に懸賞応募が可能となり、懸賞を主催する側の懸賞管理サーバでは、懸賞当選か否かを例えば固有の媒体識別情報のみにて管理することができ管理が容易である。
【発明を実施するための最良の形態】
【００２３】
以下、本発明を適用した具体的な実施の形態について、図面を参照しながら詳細に説明する。この実施の形態は、本発明を、記録媒体自体にユニーク（Unique）な媒体識別情報（以下、ＵＩＤという。）を有する記録媒体として次世代ＭＤ（ミニディスク：登録商標）２を利用した懸賞システムに適用したものである。
【００２４】
次世代ＭＤ２のＵＩＤは、ディスク製造時に記録される情報であって、ディスク１枚１枚を特定するための固有の情報であり、ユニークな識別情報である。このＵＩＤは、光ディスクの著作権保護、及びデータ改竄防止等のためにも使用することができる。
【００２５】
本実施の形態においては、次世代ＭＤ２メディアが有するＵＩＤを利用して、懸賞に応募することによって、例えば１００００枚に１枚の確率で当選した当選者に懸賞当選賞品としてのコンテンツ等の賞品をネットワークを介して送信する懸賞サービスを簡単且つ安全に提供するものである。ここでは、先ず本実施の形態における懸賞システムについて説明し、次にＵＩＤを有する次世代ＭＤ２について詳細に説明する。
【００２６】
また、ここでは、後述するように、メディアとしては、リードインエリアより更に内周に設けられたミラー領域（ＢＣＡ：Burst Cutting Area）に書換え不能に設けられたＵＩＤを有する、ＵＭＤ２又はＨｉＭＤ２とも言われる次世代ＭＤ２を例にとって説明するが、ＵＩＤを有するディスクは次世代ＭＤ２に限らず、例えば同じくミラー領域ＢＣＡにＵＩＤを有するＭＤ、例えばＵＭＤ１．５又はＨｉＭＤ１．５とも言われるディスクや、ＭＯ等の他のディスク等にも適用することができる。また、特別にＵＩＤを有するディスクに限らず、例えば製造番号等のディスクに固有の情報を用いて同様のサービスを提供することも可能である。
【００２７】
（１）懸賞システム
図１は、本実施の形態における懸賞システムを示すブロック図である。懸賞システム１０１は、ＵＩＤが予め記録された次世代ＭＤ２等の記録媒体（以下、ディスクという。）１０２にデータを記録する記録再生装置１０３と、記録再生装置１０３からＵＩＤを読み出す例えばパーソナルコンピュータ（ＰＣ）等の外部機器であって、ネットワークに接続可能な通信制御装置１０４と、通信制御装置１０４とネットワーク１０５を介して接続された懸賞管理サーバ１０６とを有する。
【００２８】
この懸賞システム１０１は、ディスク１０２に固有な媒体識別情報であるＵＩＤを利用して懸賞に応募し、懸賞当選賞品（懸賞品）としてディスク１０２に格納可能なコンテンツをユーザが取得するものであって、通信制御装置１０４が懸賞管理サーバ１０６に接続して懸賞を獲得する一連の操作を自動的に行なうものである。
【００２９】
ディスク１０２は、上述したように、媒体に固有な媒体識別情報として予め記録されたＵＩＤを有し、書き換え可能なメディアである。更に、ディスク１０２には、ＵＩＤと共にＵＩＤを懸賞管理サーバ１０６へ自動的に送信するためのＵＩＤ自動送信プログラムが記録されている。また、懸賞に応募済みか否かを示す情報（応募フラグ）を有してもよい。ここで、ＵＩＤは、上述したように、記録領域以外の領域に、書換え不能に記録されたものであるのに対し、自動送信プログラム及び応募フラグは、データの書換え可能な記録領域に記録されているものとする。
【００３０】
なお、本実施の形態においては、自動送信プログラムとしたが、自動送信プログラムの代わりに懸賞管理サーバ１０６のアドレスを示す情報等であってもよく、又はディスクのパッケージ等に懸賞管理サーバのアドレスを記載しておき、ユーザがこれを見て懸賞応募するようにしてもよい。
【００３１】
また、この記録領域に記録された自動送信プログラムは、懸賞応募済みとなると不要となるものである。このため、一連の懸賞応募処理が終了した時点で自動的に削除されるようにプログラミングされている。
【００３２】
記録再生装置１０３は、通信制御装置１０４と例えばＵＳＢ（Universal Serial Bus：登録商標）ケーブル等の伝送路１０３ａで接続されることで、通信制御装置１０４に対する外部ストレージ機器として機能できる。また、通信制御装置１０４を介したり、或いは直接ネットワークと接続できる機能を備える等してネットワーク接続されることで、音楽や各種データをダウンロードし、記録再生装置１０３に装填されたディスク（ＭＤ）に保存できるものともなる。
【００３３】
通信制御装置１０４は、例えばユーザが自宅等に設置してあるＰＣ等の情報機器を用いて構成したものであってもよいし、また配信専用端末などの形態で、音楽ショップ等の店頭に設置されるものであってもよい。更に、ＰＤＡ（Personal Digital Assistants）機器、携帯電話装置、車載用機器等の無線通信端末であってもよい。即ち、ネットワーク１０５を介してサーバ１０６と通信可能な機器であればどのようなものでもよい。
【００３４】
この通信制御装置１０４は、記録再生装置１０３にセットされたディスク１０２からＵＩＤ及びＵＩＤ自動送信プログラムを図示せぬ読出し手段により読み出し、この自動送信プログラムに従って、ＵＩＤを懸賞管理サーバ１０６へ図示せぬ送信手段により送信する。ＵＩＤ自動送信プログラムは、ディスク１０２の書き換え可能な領域に記録されており。後述するように、懸賞を獲得すると自動的に消去されるよう設定しておくことが可能である。
【００３５】
また、本実施の形態においては、記録再生装置１０３と通信制御装置１０４とを別々の機器、即ち通信制御装置１０４に対して、例えば記録再生装置１０３が接続されたものとして説明するが、として説明するが、これらが一体型となっているような、例えば一般家庭用のオーディオ／ビデオ機器において通信機能を備え、配信サービスの享受が可能とされるような記録再生装置１０３に通信制御装置１０４としての部位が一体的に設けられた装置機器等としたり、ＰＣやＰＤＡ機器等の通信制御装置において、ディスク１０２に対する記録再生ドライブを備えたものとしてもよい。
【００３６】
懸賞管理サーバ１０６は、通信制御装置１０４からネットワーク１０５を介して送られてくるＵＩＤを受信する受信手段（図示せず）と、当選ＵＩＤデータベース１０７及び提供コンテンツデータベース１０８と、これらデータベース１０７、１０８と受信したＵＩＤとを比較し、懸賞に当選しているか否かを判定する当選判定手段と、当選した場合には、当該ＵＩＤを送信してきた通信制御装置１０４に対して、例えばオーディオデータ等の懸賞品としてのコンテンツや、コンテンツを購入可能な金銭情報（電子マネー）等を懸賞当選情報に関する情報として送信する送信手段（図示せず）とを有している。図２（ａ）及び（ｂ）は、それぞれ当選ＵＩＤデータベース１０７及び提供コンテンツデータベース１０８を示す図である。
【００３７】
図２（ａ）に示すように、当選ＵＩＤデータベース１０７は、送られてくるＵＩＤが懸賞に応募されたか否かを示す応募結果欄と、そのＵＩＤに対する懸賞の等級とがテーブル化されたものである。応募結果は、一度懸賞応募処理がなされると応募済みに変更され、同じＵＩＤで再び懸賞に応募できないよう、懸賞に応募済みか否かを管理できるようになされている。
【００３８】
等級は、例えば特賞、１等、２等・・等のように順位付けされており、図２（ｂ）に示すように、各等級により、懸賞品としてユーザに送信されるコンテンツが異なるものとなっている。
【００３９】
このような懸賞管理サーバ１０６は、ＵＩＤが送られてくると、当選ＵＩＤデータベース１０７及び提供コンテンツデータベース１０８とを参照して、送られてきたＵＩＤが獲得した懸賞品として所定のコンテンツを通信制御装置１０４へ送信する。
【００４０】
コンテンツは、通信制御装置１０４を介して記録再生装置１０３へ供給され、ディスク１０２に記録される。これにより、ユーザは懸賞品としてのコンテンツを獲得することができる。
【００４１】
また、ここでは、当選ＵＩＤデータベース１０７を予め有するものとしたが、当選ＵＩＤデータベース１０７には、懸賞応募済みのもののみ記載するようにしてもよい。即ち、応募があったＵＩＤに対して逐次抽選を行い抽選済みのもののみ記憶しておく。これにより、当選ＵＩＤデータベース１０７で管理するデータ量を低減することができる。
【００４２】
図３及び図４は、それぞれ通信制御装置１０４及び懸賞管理サーバ１０６における懸賞獲得までの処理方法を示すフローチャートである。
【００４３】
図３に示すように、通信制御装置１０４は、先ず、ディスク１０２が記録再生装置１０３にセットされ、記録再生装置１０３が通信制御装置１０４と接続されているか否かの検出を行なう（ステップＳ１）。
【００４４】
次に、通信制御装置１０４は、ディスク１０２からＵＩＤ及びＵＩＤ自動送信プログラムを読み出す（ステップＳ２）。ＵＩＤ自動送信プログラムは自動的にスタートするようプログラミングされている。
【００４５】
ＵＩＤ自動送信プログラムは、先ず、ＵＩＤ、懸賞管理サーバのＵＲＬ（Universal Resource Locator）、懸賞応募済みか否かを示す応募フラグ（ＵＩＤ応募済みグラグ）を取り込み（ステップＳ３）、ＵＩＤ応募フラグにより、ＵＩＤが懸賞応募済みか否かを判断する（ステップＳ４）。応募済みでなく、懸賞応募していない場合は、懸賞管理サーバ１０７のＵＲＬへアクセスし（ステップＳ５）、ＵＩＤを送信する（ステップＳ６）。
【００４６】
懸賞が当選した場合には、懸賞管理サーバ１０６からコンテンツが送信される。従って、通信制御装置１０４は、懸賞管理サーバ１０７からのコンテンツ提供があるか否かを確認し（ステップＳ７）、コンテンツ提供がある場合はこれを受信する（ステップＳ８）。そして、コンテンツをディスク１０２に書き込み（ステップＳ９）、ＵＩＤ応募フラグを応募済みとし（ステップＳ１０）、ＵＩＤ自動送信プログラムを削除（アンインストール）するプログラムを起動させる（ステップＳ１１）。なお、ステップＳ４にて懸賞応募済みにも拘わらずＵＩＤ自動送信プログラムが削除されていない場合は、同じくＵＩＤ自動送信プログラムが消去される。こうして、懸賞応募済みである場合には、ディスク１０２のＵＩＤ自動送信プログラムは削除される。
【００４７】
これにより、記録領域に予め記録されていたＵＩＤ自動送信プログラムはが削除されるため、記録可能な容量を減少させることがない。なお、ＵＩＤは、消去されることなく、例えば著作権保護・管理等の様々な他の用途に使用されるものである。
【００４８】
次に、懸賞管理サーバ１０７のコンテンツ提供方法について説明する。懸賞管理サーバ１０７は、図４に示すように、常時、応募を受信しているか否かをチェックし（ステップＳ２１）、応募がある場合には、応募を受け付け、ＵＩＤを受信する（ステップＳ２２）。そして、受信したＵＩＤと自身の当選ＵＩＤデータベースと比較し（ステップＳ２３）、受信したＵＩＤが当選しているか否かを判断する（ステップＳ２４）。当選している場合、ＵＩＤ応募フラグにより懸賞応募済みであるか否かが確認され（ステップＳ２５）、応募済みでない場合には、このＵＩＤの等級を取り込む（ステップＳ２６）。なお、懸賞管理サーバ７は、ＵＩＤを受信したら懸賞応募済みか否かを確認後、当選ＵＩＤデータベースを参照して当選か否かを判定してもよい。
【００４９】
ステップＳ２５にて、受信したＵＩＤが当選している場合は、提供コンテンツデータベース１０８を参照し、等級に基づいた送信用の提供コンテンツを取り込む（ステップＳ２７）。
【００５０】
そして、ＵＩＤを送信してきた通信制御装置１０４に対し、懸賞品である提供コンテンツを送信し（ステップＳ２８）、応募フラグを応募済みにセットし（ステップＳ２９）、処理を終了する。
【００５１】
ここで、当選ＵＩＤデータベース１０７としては、種々のものが考えられる。例えば、ＵＩＤは製造時に製造者側が記録するものであるため、一定期間に記録したＵＩＤのみを対象とし、期間限定の懸賞を提供することができる。
【００５２】
また、当選ＵＩＤデータベース１０７は、予め用意することなく、例えば懸賞管理サーバ１０６において、当選する割合のみを決定しておき、ＵＩＤが送られてきた時点で抽選を行なうようにしてもよい。
【００５３】
更に、本実施の形態においては、提供コンテンツデータベース１０８として、懸賞の賞品としてコンテンツを提供するものとして説明したが、例えば、音楽配信サーバ（ＥＭＤ（Electronic Music Distribution）サーバ）等からユーザの好きな楽曲を、等級に応じた曲数ダウンロードできるようにしたり、コンテンツを取得するためのネットマネー（金銭情報）等であってもよい。
【００５４】
更にまた、懸賞品としては、オーディオデータに限らず、ゲーム等のプログラムデータ、漫画、テキストデータ等であってもよい。更には、ネット上で使用できるネットマネー、例えばオークション用の金銭情報等であってもよい。
【００５５】
なお、上述したように、本実施の形態においては、ディスク２の記録領域に自動送信プログラムが記録されるものとしたが、ＵＲＬであってもよく、又は何も記録せずにユーザ懸賞に応募したい場合に手入力等してもよい。
【００５６】
また、ディスク提供側が、ＵＲＬ又は自動送信プログラムを記録したものと、ＵＩＤのみのディスクとを提供してもよく、これにより、購入するユーザがそのニーズに応じてディスクを選択して購入することができる。なお、ユーザが懸賞応募しないものとして、ＵＲＬ又は自動送信プログラムが記録されずＵＩＤのみが記録されたディスクを購入した場合であっても、例えば手入力でＵＲＬを入力する等して懸賞応募することができることは言うまでもない。
【００５７】
更に、懸賞管理サーバから送られるコンテンツは、等級別に予め決められたコンテンツとする場合、ユーザにとっては、不要なコンテンツである場合もある。そのような場合は、コンテンツの受信を拒否することも可能である
その場合は、通信制御装置を操作するユーザがコンテンツの受信を拒否した場合、これを示すデータを懸賞管理サーバが受け取り、これを受け取った懸賞管理サーバは、コンテンツの送信を停止する。なお、コンテンツの送信を停止した場合に、懸賞応募済みか否かを示す応募フラグを応募済みとしてもよく、又は応募済みとせず、再びユーザが懸賞応募をできるようにしておいてもよい。
【００５８】
次に、本実施の形態における変形例として、ネットマネーを懸賞品として提供する場合の懸賞システムについて説明する。図５は、懸賞品としてオーディオデータ及びネットマネーを賞品とする場合の懸賞システムを示す模式図である。なお、図５に示す本変形例において、図１に示す実施の形態と同一構成要素には同一の符号を付して詳細な説明は省略する。
【００５９】
懸賞システム１１１は、上述の懸賞システム１０１と同様な懸賞管理サーバ１０６の他に、ネットマネーを管理する金銭管理サーバ１０９と、金銭管理サーバ１０９にて管理されるネットマネーにてコンテンツ等を購入可能な商品提供サイト１１０とを有する。
【００６０】
金銭管理サーバ１０９は、残金データベース１１２を有し、これにより懸賞当選者が獲得したネットマネーを管理する。図６は、残金データベースを示す図である。残金データベース１１２は、例えばＵＩＤと残金とがテーブル化されたものとなっている。
【００６１】
ディスク１０２を所持するユーザは、上述と同様にディスク１０２を記録再生装置１０３にセットし、通信制御装置１０４と接続することで、自動的に懸賞応募でき、上述の場合は、当選が確定するとコンテンツが送信されたのに対し、例えば特賞としてネットマネーを獲得した場合にはその通知（残金情報）が通信制御装置１０４へ送られる。
【００６２】
ユーザは、このネットマネーを使用して、ネットワーク上で楽曲等のコンテンツを購入し、通信制御装置１０４にダウンロードし、ディスク１０２に書き込むことができる。
【００６３】
また、商品提供サイト１１０は、例えば楽曲や、写真集等の静止画像又は動画像等のコンテンツを購入できるものに限らず、例えばオークションサイト等とし、オークション専用の金銭情報としてもよい。
【００６４】
現在、ネットワーク上では映画の試写会等の懸賞が広く人気になっている。ＵＩＤを有するディスク１０２であれば、これを使用した簡単且つ安全な懸賞システムを提供することが可能となり、且つ、次世代ＭＤ２のように、極めて大きい記録容量を有する記録媒体であると、懸賞品としてオーディオデータのみならず、動画像等のＡＶコンテンツも提供することができる。また、ＵＩＤを有するディスク１０２を使用した懸賞システムであるため、懸賞管理サーバ１０６から懸賞品として提供されるコンテンツ等の賞品は、当選ＵＩＤを有するディスク１０２のみにダウンロードさせることが可能となる。
【００６５】
本実施の形態においては、これら懸賞システムに関わるユーザ、懸賞管理サーバ（懸賞品提供者）、ディスク製造者、及び記録再生製造者がそれぞれ以下に示すメリットを得られる。
【００６６】
即ち、ユーザにおいては、懸賞サービスという付加価値付きのディスク１０２を手に入れることができ、更に記録再生装置１０３と通信制御装置１０４とを接続するか、又通信機能を有する記録再生装置を使用すれば、懸賞に応募し、懸賞品としての例えば楽曲等のコンテンツがダウンロードされるという一連の処理を自動的に行わせることができる。例えば、著作権等の問題から、ＰＣ等の通信制御装置により、ＥＭＤサーバ等からダウンロードした楽曲は、ＰＣでしか聞くことができないというものが一般的であるのに対し、本実施の形態においては、ディスク１０２に対してダウンロードして記録するためのコンテンツが懸賞品となっているため、ディスク１０２が再生可能な他の機器で当選した賞品を楽しむことができる。
【００６７】
また、懸賞応募を自動的に実行するＵＩＤ自動送信プログラムを有する場合であって、懸賞応募後には、このＵＩＤ自動送信プログラムが自動的に削除されるような場合、懸賞応募後に不要となるＵＩＤ自動送信プログラム等のデータが削除されることにより、り、ディスク１０２の記録容量を減らすことがない。
【００６８】
一方、ディスク提供者は、ディスクに対して懸賞サービスという付加価値を付与することにより、通常のディスクと比較して、ユーザの購買欲を促進することができる。
【００６９】
また、記録再生装置の製造者は、このような付加価値のあるディスクを使用することができる記録再生装置を提供することで、懸賞システムを利用したいユーザにより記録再生装置の需要が増加する。
【００７０】
更に、商品サイトやＥＭＤサーバ等のコンテンツ提供者は、固有のＵＩＤを有するディスク２にコンテンツを送信することができるため、ＵＩＤを識別することでセキュリティが高いサービスを提供することができる。
【００７１】
（２）次世代ＭＤ２
次に、上述の懸賞システムにおいて使用するＵＩＤ付きのディスクの一具体例として、次世代ＭＤ２及びそのＵＩＤについて詳細に説明する。なお、以下に説明する次世代ＭＤ２は、ＵＭＤ３又はＨｉＭＤ３とも言われ、従来のＭＤと互換性を持ちつつ高密度記録が可能な記録媒体であるが、上述したように、本実施の形態の懸賞システムに好適に使用される媒体自体を識別可能な固有の媒体識別情報付き記録媒体としては、この次世代ＭＤ２に限らず、固有の媒体識別情報が書換え不能に記録されたものであって、記録可能な領域を有するメディアであればよい。
【００７２】
次世代ＭＤ２は、直径を略６４ｍｍとなし、例えば楽音信号で７４分以上の記録を可能となす記憶容量を備えたミニディスクＭＤ（登録商標）と呼ばれる従来型の小径の光ディスク（以下、第１世代ＭＤという。）とは異なり、外形、光学系は、第１世代ＭＤと互換性を保ちながらも、トラックピッチを１．２５μｍに狭め、かつ例えばグルーブから磁壁移動検出（Domain Wall Displacement Detection：ＤＷＤＤ）によって記録マークを検出することにより、飛躍的に容量を増加させたものである。
【００７３】
なお、ミニディスクには、ピットによりデータが記録されている再生専用型と、光磁気記録（ＭＯ）方式によりデータが記録されており再生も可能な記録再生型の２種類があるが、以下の説明は、記録再生型の小径光ディスク（以下、光磁気ディスクという。）に関する。
【００７４】
第１世代ＭＤ（従来ＭＤ）は、トラックピッチ１．６μｍでグルーブ記録、また記録データの変調方式として、ＥＦＭ（８−１４変換）変調方式が採用されている。この第１世代ＭＤの物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式を採っている。なお、本明細書では、ウォブリングにより記録される絶対アドレスをＡＤＩＰ（Address in Pregroove）ともいう。
【００７５】
更に第１世代ＭＤは、誤り訂正方式として、ＡＣＩＲＣ(Advanced Cross Interleave Reed-Solomon Code)を用いている。また、データインタリーブには、畳み込み型を採用している。これにより、データの冗長度は、４６．３％となっている。
【００７６】
また、第１世代ＭＤにおけるデータの検出方式は、ビットバイビット方式であって、ディスク駆動方式としては、ＣＬＶ(Constant Linear Verocity)が採用されている。ＣＬＶの線速度は、１．２ｍ／ｓである。
【００７７】
記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００７８】
このような第１世代ＭＤに対し、トラックピッチ及び記録レーザ光の記録波長或いは対物レンズのＮＡ等を改善することにより記録容量を上げたものが次世代ＭＤ１及び本実施の形態における記録媒体としての次世代ＭＤ２である。
【００７９】
次世代ＭＤ１は、従来の媒体（ディスクやカートリッジ）はそのままに、変調方式や、論理構造などを変更してユーザエリア等を倍密度にし、記録容量を例えば３００ＭＢに増加したＭＤである。次世代ＭＤ１における記録媒体の物理的仕様は、第１世代ＭＤと同一であり、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、第１世代ＭＤと同様である。
【００８０】
この次世代ＭＤ１や、本実施の形態における次世代ＭＤ２は、複製が可能であり、かつ記録容量が増加されているので、ディスク間の不正コピーが行われるとその被害は甚大なものとなる。
【００８１】
そこで次世代ＭＤ１では、ＤＤＴ（Disc description table）にDisc IDとして多数のディスクからある一枚を一意に特定するための識別番号が記録されるようになっている。これは、記録再生装置側にてフォーマット時に１７ＰＰ信号にて乱数記録される。
【００８２】
これに対し、本実施の形態の記録媒体としての次世代ＭＤ２のように、記録容量を増加させようとする光磁気ディスクにおいては、上記ディスクＩＤのような識別番号を記録する領域をアドレスが割り振られた領域に設けると、記録容量の増加等の妨げとなり、また読み出しの機構、処理が複雑となってしまうことを防止するため、ミラー領域に放射状のユニークＩＤを製造時に記録する。
【００８３】
図７には、本発明における記録媒体の一具体例である次世代ＭＤ２（２００）を示す模式図である。高密度化を図るためにプリピットを用いない。したがって、次世代ＭＤ２には、プリピットによるＰＴＯＣ領域がない。また、次世代ＭＤ２には、レコーダブルエリアの内周のリードインエリアのさらに内周領域に、ＵＩＤを記録するＵＩＤエリアが設けられている。このＵＩＤエリアは、次世代ＭＤ２に適用されるＤＷＤＤ方式とは異なる記録方式で記録されている。
【００８４】
この次世代ＭＤ２のＵＩＤは、ユニークな媒体識別情報である。このＵＩＤは、ディスク製造時に記録される情報であって、ディスク１枚１枚を特定するための固有の情報であり、光磁気ディスクの著作権保護のための情報、データ改竄チェックのための情報、あるいは他の非公開情報の基になる情報等として用いられる他、上述したような懸賞サービス等、その他種々のサービス提供のためにも利用することができる。
【００８５】
ＵＩＤ記録エリアは、元々ミラー領域である。つまり、グルーブが形成されているわけでも、ピットが形成されているわけでもない。そのミラー領域にＭＯ記録により例えば２００μｍ×１μｍの細長いマークを書き込んでいく。１周分に上記マークを書いたら特にトラッキングを掛けることなくＰＬＬをかけて１周分書き込み用の光学ヘッドを送る。そして、隙間ができないように重ねてさらに２００μｍにて同じところに上記細長いマークを書いていく。これによって、バーコードのように放射状にＵＩＤのマークが形成されるようになる。また、このＵＩＤは、前述したように幅の広いマークを使って記録されているので、ノントラッキングにて再生が可能である。
【００８６】
このように、ＵＩＤをミラー領域に記録する次世代ＭＤ２は、例えば、磁壁移動検出方式（ＤＷＤＤ：Domain Wall Displacement Detection）等の高密度化記録技術を適用した記録媒体であって、上述した第１世代ＭＤ及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。
【００８７】
また、第１世代ＭＤ及び次世代ＭＤ１との互換を採るため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も第１世代ＭＤ及び次世代ＭＤ１と同一規格とする。
【００８８】
但し、第１世代ＭＤ及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【００８９】
また、次世代ＭＤ２は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインタリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００９０】
更に、ディスク駆動方式には、ＺＣＡＶ（Zone ＣＡＶ）方式を用い、その線速度を、２．０ｍ／ｓとする。ＺＣＡＶ方式によれば、同じゾーン内では、ＣＡＶ再生になるが、記録／再生装置にあっては、スピンドルモータを従来通りに制御してＣＬＶによりディスクを回転駆動するのと同じように見える。
【００９１】
図８には、ＺＣＡＶ方式によって駆動される次世代ＭＤ２のような光磁気ディスク２００のゾーンzone化フォーマットを示す。この光磁気ディスク２００にあっては、光磁気ディスクをゾーンＺ０からゾーンＺ２７までの２８ゾーンに分ける。ゾーン内における隣接トラック間ではウォブルの波数（位相）を一致させる。例えば、ゾーンＺ１とゾーンＺ２とを拡大して示す図９において、ゾーンＺ１内では領域Ａ１で囲っているようにウォブルの波数（位相）を一致させている。ゾーンＺ２内でも領域Ａ１で囲っているようにウォブルの波数（位相）を一致させている。図１０には、領域Ａ１及び領域Ａ２内におけるウォブルを取り出して示す。波数は、一致している。これは、ＡＤＩＰのキャリアの波数を同じにすることである。これにより平均的にインフェーズ（inphase）とアウトフェーズ（Outphase）を合わせることができる。なお、隣接するゾーンＺ１とゾーンＺ２との間では、領域Ａ３で囲っているようにウォブルの波数（位相）は一致させなくてもよい。
【００９２】
上記ＺＣＡＶ方式の採用により、記録再生時の標準データレートは、９．８ＭＢ／ｓとなる。次世代ＭＤ２では、ＤＷＤＤ方式及びＺＣＡＶ駆動方式を採用することにより、総記録容量を１ＧＢにできる。
【００９３】
このように、次世代ＭＤ２では、予め書換え不能に記録されたＵＩＤを有するため、これを利用した懸賞サービスを提供することができ、記録容量が大きいため、懸賞品として例えば１ＧＢのコンテンツを提供することも可能となる。
【００９４】
（３）次世代ＭＤ２の記録再生装置
このような次世代ＭＤ２に対して情報信号を記録再生する記録再生装置について図１１を用いて説明する。この記録再生装置は、次世代ＭＤ２の記録のためのＲＬＬ（１−７）ＰＰ変調・ＲＳ−ＬＤＣエンコードを実行する構成を備える。また、次世代ＭＤ２の再生にＰＲ（１，−１）ＭＬ及びビタビ復号を用いたデータ検出に基づくＲＬＬ（１−７）復調・ＲＳ−ＬＤＣデコードを実行する構成を備える。
【００９５】
この記録再生装置は、装填された次世代ＭＤ２（２００）をスピンドルモータ４０１によって前述したＺＣＡＶ方式にて回転駆動する。記録再生時には、この次世代ＭＤ２（２００）に対して、光学ヘッド４０２からレーザ光が照射される。
【００９６】
光学ヘッド４０２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド４０２は、レーザ出力手段としてのレーザダイオード、偏光ビームスプリッタや対物レンズ等からなる光学系及び反射光を検出するためのディテクタを搭載している。光学ヘッド４０２に備えられる対物レンズとしては、例えば２軸機構によってディスク半径方向及びディスクに接離する方向に変位可能に保持されている。
【００９７】
次世代ＭＤ２を挟んで光学ヘッド４０２と対向する位置には、磁気ヘッド４０３が配置されている。磁気ヘッド４０３は、記録データによって変調された磁界を次世代ＭＤ２に印加する。また、図示しないが光学ヘッド４０２全体及び磁気ヘッド４０３をディスク半径方向に移動させるためのスレッドモータ及びスレッド機構が備えられている。
【００９８】
この記録再生装置では、光学ヘッド４０２、磁気ヘッド４０３による記録再生ヘッド系、スピンドルモータ４０１によるディスク回転駆動系のほかに、記録処理系、再生処理系、サーボ系等が設けられる。記録処理系としては、次世代ＭＤ２に対する記録時にＲＬＬ（１−７）ＰＰ変調、ＲＳ−ＬＤＣエンコードを行う部位が設けられる。
【００９９】
また、再生処理系としては、次世代ＭＤ２の再生時にＲＬＬ（１−７）ＰＰ変調に対応する復調（ＰＲ（１，−１）ＭＬ及びビタビ復号を用いたデータ検出に基づくＲＬＬ（１−７）復調）、ＲＳ−ＬＤＣデコードを行う部位とが設けられる。
【０１００】
光学ヘッド４０２の次世代ＭＤ２に対するレーザ照射によりその反射光として検出された情報（フォトディテクタによりレーザ反射光を検出して得られる光電流）は、ＲＦアンプ４０４に供給される。ＲＦアンプ４０４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（次世代ＭＤ２にトラックのウォブリングにより記録されているＡＤＩＰ情報）等を抽出する。
【０１０１】
次世代ＭＤ２の再生時には、ＲＦアンプで得られた再生ＲＦ信号は、Ａ／Ｄ変換回路４０５、イコライザ４０６、ＰＬＬ回路４０７、ＰＲＭＬ回路４０８を介して、ＲＬＬ（１−７）ＰＰ復調部４０９及びＲＳ−ＬＤＣデコーダ４１０で信号処理される。再生ＲＦ信号は、ＲＬＬ（１−７）ＰＰ復調部４０９において、ＰＲ（１，−１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ４１０にて誤り訂正及びデインタリーブ処理される。そして、復調されたデータが次世代ＭＤ２からの再生データとしてデータバッファ４１５に出力される。
【０１０２】
ＲＦアンプ４０４から出力されるトラッキングエラー信号ＴＥ、フォーカスエラー信号ＦＥは、サーボ回路４１１に供給され、グルーブ情報は、ＡＤＩＰデコータ４１３に供給され、ＵＩＤを読み出したＭＯ信号は、ＵＩＤデコーダ４２０に供給される。
【０１０３】
ＡＤＩＰデコータ４１３は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、次世代ＭＤ２アドレスとされてシステムコントローラ４１４に供給される。
【０１０４】
ＵＩＤデコーダ４２０は、後述するように、読み出したＭＯ信号からＵＩＤが検出され、システムコントローラ４１４に供給される。
【０１０５】
システムコントローラ４１４では、ＡＤＩＰアドレスに基づいて、所定の制御処理を実行する。またグルーブ情報は、スピンドルサーボ制御のためにサーボ回路４１１に戻される。
【０１０６】
サーボ回路４１１は、例えばグルーブ情報に対して再生クロック（デコード時のＰＬＬ系クロック）との位相誤差を積分して得られる誤差信号に基づき、ＺＣＡＶサーボ制御のためのスピンドルエラー信号を生成する。
【０１０７】
またサーボ回路４１１は、スピンドルエラー信号や、上記のようにＲＦアンプ４０４から供給されたトラッキングエラー信号、フォーカスエラー信号、或いはシステムコントローラ４１４からのトラックジャンプ指令、アクセス指令等に基づいて各種サーボ制御信号（トラッキング制御信号、フォーカス制御信号、スレッド制御信号、スピンドル制御信号等）を生成し、モータドライバ４１２に対して出力する。すなわち、上記サーボエラー信号や指令に対して位相補償処理、ゲイン処理、目標値設定処理等の必要処理を行って各種サーボ制御信号を生成する。
【０１０８】
モータドライバ４１２では、サーボ回路４１１から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ４０１を駆動するスピンドルモータ駆動信号となる。このようなサーボドライブ信号により、次世代ＭＤ２に対するフォーカス制御、トラッキング制御、及びスピンドルモータ４０１に対するＺＣＡＶ制御が行われる。
【０１０９】
次世代ＭＤ２に対して記録動作が実行される際には、図示しないメモリ転送コントローラから高密度データ、或いはオーディオ処理部からの通常のＡＴＲＡＣ圧縮データが供給される。
【０１１０】
次世代ＭＤ２に対する記録時には、ＲＳ−ＬＣＤエンコーダ４１６及びＲＬＬ（１−７）ＰＰ変調部４１７が機能する。この場合、高密度データは、ＲＳ−ＬＣＤエンコーダ４１６でインタリーブ及びＲＳ−ＬＤＣ方式のエラー訂正コード付加が行われた後、ＲＬＬ（１−７）ＰＰ変調部４１７にてＲＬＬ（１−７）変調される。
【０１１１】
ＲＬＬ（１−７）符号列に変調された記録データは、磁気ヘッドドライバ４１８に供給され、磁気ヘッド４０３が次世代ＭＤ２に対して変調データに基づいた磁界印加を行うことでデータが記録される。
【０１１２】
レーザドライバ／ＡＰＣ４１９は、上記のような再生時及び記録時においてレーザダイオードにレーザ発光動作を実行させるが、いわゆるＡＰＣ（Automatic Lazer Power Control）動作も行う。具体的には、図示しないが、光学ヘッド４０２内には、レーザパワーモニタ用のディテクタが設けられており、このモニタ信号がレーザドライバ／ＡＰＣ４１９にフィードバックされるようになっている。レーザドライバ／ＡＰＣ４１９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、システムコントローラ４１４によって、再生レーザパワー及び記録レーザパワーとしての値がレーザドライバ／ＡＰＣ４１９内部のレジスタにセットされる。
【０１１３】
システムコントローラ４１４は、以上の各動作（レーザ駆動、アクセス、各種サーボ、データ書込、データ読み出しの各動作）が実行されるように各構成を制御する。
【０１１４】
次に、ＡＤＩＰデコーダ４１３について更に詳細に説明する。上述においては、次世代ＭＤ２の記録再生装置は、ＵＩＤデコーダ４３０を有するものとしたが、ＵＩＤの書き込みのパターンは、ＡＤＩＰと同じようなフォーマット、即ちＦＭ変調、バイフェーズ変調、３ビット訂正ＢＣＨ符号（Bose-Chaudhuri-Hocquenghem code）を用いることにより、記録再生装置では、ＡＤＩＰアドレス用のデコーダ４１３を用いてＵＩＤをデコードでき、ＵＩＤの再生専用回路を不要とすることもできる。
【０１１５】
図１２には、ＡＤＩＰデコーダ４１３を示すブロック図である。上記ＡＤＦＧ（ＡＤＩＰＦＭ）が入力端子５０１を介してＲＦアンプ４０４から供給されると、ＦＭ復調部５０２内のＦＶコンバータ５０３は周波数を電圧信号に変換する。この電圧信号は、フィルタ５０４にてフィルタリングされたのち、コンパレータ５０５により２値化されてＦＭＤＴがフェーズコンパレータ５０６、シンク検出回路５０９及びバイフェーズデコーダ５１０に供給される。
【０１１６】
そして、フェーズコンパレータ５０６からのＦＭＤＴのコンパレート出力は、ループフィルタ５０７、ＶＣＯ５０８によって構成されるＰＬＬにより同期クロックＦＭＣＫとされる。この同期クロックＦＭＣＫは、上記フェーズコンパレータ５０６、シンク検出部５０９及びバイフェーズデコーダ５１０に供給される。
【０１１７】
シンク検出回路５０９は、上記同期クロックＦＭＣＫに従ってＦＭＤＴからシンクsyncを検出し、タイミング制御回路５１１に供給する。このタイミング制御回路５１１は、セクタパルスXADSYを生成してシステムコントローラ４１４に供給する。また、タイミング制御回路５１１は、ウィンドウ情報Windowをシンク検出回路５０９に供給する。
【０１１８】
バイフェーズデコード回路５１０は、上記ＦＭＤＴを上記同期クロックＦＭＣＫに基づいてバイフェーズデコードし、ＮＲＺデータをＢＣＨデコーダ５１２及びＣＲＣデコーダ５１３に供給する。この実施例の場合には、ＢＣＨデコーダ５１２とＣＲＣデコーダ５１３とを並列に接続し、それぞれのデコーダからの出力を切換スイッチ５１４及び５１５を用いて切り換えることによりＵＩＤのアドレスエラーＡＤＥＲ、クラスタ位置番号、セクタ番号（回転情報として用いられる）を取り出している。また、ＵＩＤのデータもこれら切り換えスイッチ５１４及び５１５の切り換えを介してＢＣＨデコーダ５１２、ＣＲＣデコーダ５１３から取り出される。
【０１１９】
（４）ＵＩＤ
次に、図１３は、次世代ＭＤ２のデータフォーマットを示す図である。最内周側はミラー領域（ＢＣＡ：Burst Cutting Area）とされ、その外周側にウォブルＡＤＩＰグルーブエリアが設けられる。そして、ミラー領域に、バーコード状のパターンが放射状に形成されることで、上記ＵＩＤが記録される。
【０１２０】
また、ウォブルＡＤＩＰグルーブエリアには、内周側からリードインエリア（Lead-in area）、データ記録領域となるデータレコーダブルエリア（Data Recodable area）、リードアウトエリア（Lead-out area）が設けられている。
【０１２１】
リードインエリアには、Ｐ−ＴＯＰと呼ばれるプリフォーマットされた管理情報が記録される。また、データレコーダブルエリアには、パワーキャリブレーションエリア（Power calibration area：ＰＣＡ）と、コントロールエリア（Control area）と、レコーダブルデータエリア（Recodable data area）と、リードアウトのパワーキャリブレーションエリアＰＣＡとが設けられる。
【０１２２】
なお、上述のＵＭＤ１．５は、同様に最内周にＵＩＤが記録されたＢＣＡを有する点は同様であるが、リードインエリアには、Ｐ−ＴＯＰの変わりにＰ−ＴＯＣが記録される。Ｐ−ＴＯＣはエンボスピットによるピットエリアであり、基本的なエリア位置などが管理される。
【０１２３】
次に、ＵＩＤのフォーマットについて説明する。図１４は、ＵＩＤのフォーマットを示す図である。図１４に示すように、ＵＩＤは、１列目がシンクエリアとなっており、２列目がデータエリアとなっている。そして、シンクエリアには、各行１byteの同期信号が記録され、データエリアには、各行４byteのデータが記録され。データエリアにおいては、１行目は、プリアンブル（pre-amble）、次の４×ｎ行（１≦ｎ≦１２）はインフォメーション領域、その次の４行がＥＣＣ領域、最後の１行がポストアンブルとなっている。なお、シンクエリアは、データエリアの最終行の更に次の行にも同期信号を有する。
【０１２４】
図１５（ａ）乃至（ｃ）は、それぞれＵＩＤレコードブロックを示す図、ＵＩＤコードのフォーマットを示す図、及びＵＩＤレコードブロックの配列順を模式的に示す図である。
【０１２５】
図１５（ａ）において、ＲＢＰの相対位置（Relative byte position）ＲＢＰは、図１４に示すＩ０〜Ｉ１６ｎ−５に対応する。即ち、ＲＢＰ０（Ｉ０）〜ＲＢＰ１（Ｉ１）には、それぞれ１バイトでＵＩＤコードが記録され、ＲＢＰ２（Ｉ２）には、１バイトでバージョンナンバ（Version number）が記録され、ＲＢＰ３（Ｉ３）には、１バイトでデータ長（Date length）が記録され、ＲＢＰ（Ｉ４）〜ＲＢＰ４ｍ＋３（Ｉ４ｍ＋３）には、レコードデータが記録される。
【０１２６】
ＵＩＤコードは、図１５（ｂ）に示すように、ディスク種別により設定される４ビットのディスクタイプＩＤ（Disc Type ID）とアプリケーション固有のＵＩＤ（Application UID）とからなる。また、これらのレコードブロックＲＢは、図１５（ｃ）に示すように、例えばアプリケーションＵＩＤの小さい順等、アプリケーションＵＩＤ毎に並べられている。
【０１２７】
図１６は、図１１に示すＵＩＤデコーダ（ＵＩＤ検出回路）４２０の一例を示すブロック図である。図１６に示すように、ＵＩＤデコーダ４２０は、ＲＦアンプ４０４からのＭＯ信号が入力されるハイパスフィルタ（1st order High pass filter）３０１及びこの出力が供給されるローパスフィルタ（1st order Low pass filter）３０２と、ローパスフィルタ１０２の出力信号のピーク位置及びボトム位置を検出するそれぞれ時定数τ＝１ｍｓのピークホールド回路３０３及び時定数τ＝１ｍｓのボトムホールド回路３０４と、ピークホールド回路３０３及びボトムホールド回路３０４の出力に抵抗Ｒを加算するそれぞれ抵抗３０５ａ及び３０５ｂと、ピークホールド回路３０３及びボトムホールド回路３０４の出力が抵抗加算された値と、ローパスフィルタ３０２からの出力信号とを比較するコンパレータ３０６とを有する。
【０１２８】
即ち、ＵＩＤを読み出したＭＯ信号は、ピークホールド回路３０３にて検出されたピーク位置と、ボトムホールド回路３０４にて検出されたボトム位置との差の１／２、即ちＭＯ信号の振幅差の１／２を閾値とするコンパレータ３０６にて、ローパスフィルタ１０２の出力と比較されることにより２値化される。
【０１２９】
また、このＵＩＤデコーダ４２０におけるハイパスフィルタ３０１及びローパスフィルタ３０２の、いわゆるカットオフ周波数（ターンオーバ周波数）ｆｃ（−３ｄＢ）は、それぞれ１ＫＨｚ及び５ＭＨｚとすることができる。
【０１３０】
次に、このようなＵＩＤの読み出し方法について説明する。図１７は、上記ＵＩＤを読み出すときの上記記録再生装置のシステムコントローラ４１４にて行われる処理手順を示すフローチャートである。
【０１３１】
先ず、ステップＳ３１にて光学ピックアップ４０２をディスクの内周へ移動する。上記ＰＤＰＴまではＡＤＩＰアドレスが形成されているので、そこまではアドレスでアクセスできる。その後、光学ヘッド４０２をさらに内周に振ることで光学ヘッド４０２がＵＩＤ記録領域に達する。ここでは、検出スイッチを設けてメカ的に光学ヘッド４０２の上記ＵＩＤ記録領域への到達を検出するようにしてもよい。
【０１３２】
次に、ステップＳ３２にてＲＦアンプ４０４からＵＩＤデコーダ４２０に読み込まれるＡＤＦＧ信号をプッシュプルからＲＦ信号に切り替える。ＡＤＦＧ信号は、ＡＤＩＰのウォブル信号のコンパレータ出力である。ウォブルは、プッシュプル信号から検出されるが、ＵＩＤはそれがＭＯで書かれているので、ＵＩＤを読み込むときには上記ＡＤＦＧ信号をＲＦ信号として検出してやればよい。
【０１３３】
次に、ステップＳ３３にてＵＩＤデコーダ４２０によりＢＣＨ情報及びcodeを読み出し、メモリに貯め込む。そして、ステップＳ３４にてすべてのＢＣＨがＯＫで、ＥＤＣもＯＫであれば、そのまま読み終わって終了となる。このステップＳ３４にて、もしエラーがあり、ＮＯと判定されると、ステップＳ３５に進んでステップＳ３３にてメモリに貯め込まれたＢＣＨ情報のフラグを使ってイレージャ訂正を行う。
【０１３４】
次に、ステップＳ３６にてＥＤＣが正常でありＯＫであればＵＩＤを読み終わり、もしＥＤＣが正常でなければステップＳ３７に進んでピックアップを少しだけ移動させてリトライする。
【０１３５】
（５）記録再生装置の他の例
次に、従来ＭＤ（第１世代）及び次世代ＭＤのいずれにも対応可能な記録再生装置について説明する。ここで、次世代ＭＤ１、次世代ＭＤ２は、ＵＭＤ又はＨｉＭＤ１、３とも呼ばれるものである。また、次世代ＭＤ１、２と同様、ＭＤ方式に準拠して高密度化を進めた次世代ＭＤとして、ＵＭＤ１．５（以下、次世代ＭＤ１.５という。）と呼ばれるものもある。次世代ＭＤ１．５は、Ｕ−ＴＯＣ及びＰ−ＴＯＣを有し、Ｕ−ＴＯＣに「ＵＭＤ」等と記述され、また次世代ＭＤ２と同様ミラー領域ＢＣＡに「１．５」の記述がなされる。ここで、上述したように、本実施の形態における懸賞システムにおいて説明したＵＩＤを有するメディアとして、この次世代ＭＤ１．５も好適に利用することができる。そして、以下に説明する記録再生装置においては、これら第１世代ＭＤ及び次世代ＭＤ全てに対応可能な記録生成装置となっている。
【０１３６】
図１８には、従来ＭＤ（第１世代ＭＤ）、次世代ＭＤ１及び次世代ＭＤ２を記録再生するための記録再生装置１１の構成を示す。この記録再生装置１１は、次世代ＭＤ１、１．５、２の種類を判別する。また、第１世代ＭＤと、次世代ＭＤ２を判別する場合もある。
【０１３７】
記録再生装置１１は、第１世代ＭＤ、次世代ＭＤ１及び次世代ＭＤ２を記録再生するために、特に、記録処理系として、第１世代ＭＤの記録のためのＥＦＭ変調・ＡＣＩＲＣエンコードを実行する構成と、次世代ＭＤ１及び次世代ＭＤ２の記録のためのＲＬＬ（１−７）ＰＰ変調・ＲＳ−ＬＤＣエンコードを実行する構成とを備える点が特徴的である。また、再生処理系として、第１世代ＭＤの再生のためのＥＦＭ復調・ＡＣＩＲＣデコードを実行する構成と、次世代ＭＤ１及び次世代ＭＤ２の再生にＰＲ（１，２，１）ＭＬ、ＰＲ（１，−１）ＭＬ及びビタビ復号を用いたデータ検出に基づくＲＬＬ（１−７）復調・ＲＳ−ＬＤＣデコードを実行する構成を備えている点が特徴的である。
【０１３８】
記録再生装置１１は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【０１３９】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。この光学ヘッド２２には、内蔵のディスク判別装置に受光信号Ａ、受光信号Ｂを供給するフォトディテクタＰＤが備えられている。また、対物レンズ、或いは光学ヘッド２２全体は、ディスク判別時には、進行方向を決める必要があるのである一定の速度で、内周から外周へ移動させられる。偏芯による移動量に打ち勝つ速度で上記受光信号Ａ、Ｂを検出することができる。
【０１４０】
また、本具体例では、媒体表面の物理的仕様が異なる第１世代ＭＤ及び次世代ＭＤ１と、次世代ＭＤ２とに対して最大限の再生特性を得るために、光学ヘッド２２の読取光光路中に位相補償板を設ける。この位相補償板により、読取り時におけるビットエラーレートを最適化できる。
【０１４１】
ディスク９０を挟んで光学ヘッド２２と対向する位置には、磁気ヘッド２３が配置されている。磁気ヘッド２３は、記録データによって変調された磁界をディスク９０に印加する。また、図示しないが光学ヘッド２２全体及び磁気ヘッド２３をディスク半径方向に移動させるためのスレッドモータ及びスレッド機構が備えられている。このスレッドモータ及びスレッド機構は、内蔵のディスク判別装置がディスクを判別する時に、上記光学ヘッド２２を内周から外周に移動する。
【０１４２】
この記録再生装置１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、第１世代ＭＤに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【０１４３】
また、再生処理系としては、第１世代ＭＤの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【０１４４】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１４５】
このＲＦアンプ２４には、ディスク判別装置を構成するトラッキングエラー信号演算器と、プルイン信号演算器と、コンパレータと、コンパレータとが内蔵されている。
【０１４６】
第１世代ＭＤの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、第１世代ＭＤ信号側が選択されており、復調されたＡＴＲＡＣ圧縮データがディスク９０からの再生データとしてデータバッファ３０に出力される。この場合、図示しないオーディオ処理部に圧縮データが供給される。
【０１４７】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインタリーブ処理される。
【０１４８】
この場合、セレクタ２９は、次世代ＭＤ１・次世代ＭＤ２側が選択され、復調されたデータがディスク９０からの再生データとしてデータバッファ３０に出力される。このとき、図示しないメモリ転送コントローラに対して復調データが供給される。
【０１４９】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に、次世代ＭＤ１．５及び次世代ＭＤ２であればＵＩＤを読み出したＭＯ信号がＵＩＤデコーダ５０に供給される。
【０１５０】
ＡＤＩＰデコータ（復調部）３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、第１世代ＭＤ及び次世代ＭＤ１の場合であれば、ＭＤアドレスデコーダ３９を介し、次世代ＭＤ２の場合であれば、次世代ＭＤ２アドレスデコーダ４０を介してシステムコントローラ４１に供給される。
【０１５１】
ＵＩＤデコーダ５０は、上述したように、ＭＯ信号をデコードしたＵＩＤの情報をシステムコントローラ４１に供給する。
【０１５２】
システムコントローラ４１では、各ＡＤＩＰアドレスに基づいて、所定の制御処理を実行する。またグルーブ情報は、スピンドルサーボ制御のためにサーボ回路３７に戻される。
【０１５３】
また、システムコントローラ４１には、ディスク判別装置を構成するＤフリップフロップ判別回路の機能が備えられている。そして、システムコントローラ４１は、このＤフリップフロップ判別回路の判別結果に基づいて上記ＭＤの種類を判別する。
【０１５４】
サーボ回路３７は、例えばグルーブ情報に対して再生クロック（デコード時のＰＬＬ系クロック）との位相誤差を積分して得られる誤差信号に基づき、ＣＬＶサーボ制御及び前述したＺＣＡＶサーボ制御のためのスピンドルエラー信号を生成する。
【０１５５】
またサーボ回路３７は、スピンドルエラー信号や、上記のようにＲＦアンプ２４から供給されたトラッキングエラー信号、フォーカスエラー信号、或いはシステムコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【０１５６】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【０１５７】
ディスク判別装置は、光磁気ディスクを判別する際に、サーボ回路３７、モータドライバ４２をシステムコントローラ４１で制御し、光学ヘッド２２の対物レンズによるレーザ光のフォーカスをオンさせる。また、トラッキングサーボはかけていない状態にする。また、スレッドサーボについては、光学ヘッド２２を内周から外周にある速度にて移動させる。
【０１５８】
ディスク９０に対して記録動作が実行される際には、図示しないメモリ転送コントローラから高密度データ、或いはオーディオ処理部１９（図１９参照）からの通常のＡＴＲＡＣ圧縮データが供給される。
【０１５９】
第１世代ＭＤに対する記録時には、セレクタ４３が第１世代ＭＤ側に接続され、ＡＣＩＲＣエンコーダ４４及びＥＦＭ変調部４５が機能する。この場合、オーディオ信号であれば、後述するオーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がディスク９０に対してＥＦＭ変調データに基づいた磁界印加を行うことで変調されたデータが記録される。
【０１６０】
次世代ＭＤ１及び次世代ＭＤ２に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、後述するメモリ転送コントローラ１２（図１９参照）から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【０１６１】
ＲＬＬ（１−７）符号列に変調された記録データは、セレクタ４３を介して磁気ヘッドドライバ４６に供給され、磁気ヘッド２３がディスク９０に対して変調データに基づいた磁界印加を行うことでデータが記録される。
【０１６２】
レーザドライバ／ＡＰＣ４９は、上記のような再生時及び記録時においてレーザダイオードにレーザ発光動作を実行させるが、いわゆるＡＰＣ（Automatic Lazer Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、システムコントローラ４１によって、再生レーザパワー及び記録レーザパワーとしての値がレーザドライバ／ＡＰＣ４９内部のレジスタにセットされる。
【０１６３】
システムコントローラ４１は、後述するドライブコントローラ１８（図１９参照）からの指示に基づいて、以上の各動作（アクセス、各種サーボ、データ書込、データ読み出しの各動作）が実行されるように各構成を制御する。なお、図１８において一点鎖線で囲った各部は、１チップの回路として構成することもできる。
【０１６４】
また、各ディスク種別の判別方法としては、ディスク反射率、グルーブ深さによる位相差、Ｕ−ＴＯＣ内容、Ｐ−ＴＯＣ内容、ＡＤＩＰアドレス構造、ＢＣＡの各判別要素等、様々あるが、例えば以下に示す方法等がある。
【０１６５】
第１世代ＭＤ及び次世代ＭＤ１は、いずれもリードインエリアとして内周側からＰ−ＴＯＣ、Ｕ−ＴＯＰを有しており、Ｐ−ＴＯＣでは基本的なエリア位置などが管理され、データエリアに記録されるトラックはＵ−ＴＯＣによって管理される。ここで、第１世代ＭＤには、Ｕ−ＴＯＣエリアに「ＭＩＮＩ」等のアスキーコードが記録され、次世代ＭＤ１には、Ｕ−ＴＯＣエリアにＵＭＤ等の記録がなされるため、これによりディスクの判別を行うことができる。
【０１６６】
また、上述の次世代ＭＤ１．５は、Ｐ−ＴＯＣ及びＵ−ＴＯＣからなるリードインエリアの内周に、次世代ＭＤ２と同様ミラー領域ＢＣＡを有している。これらミラー領域ＢＣＡには、次世代ＭＤ１．５であるか次世代ＭＤ２であるかの情報が記録されており、これによりディスク種別を判別することができる。
【０１６７】
また、次世代ＭＤ２は、次世代ＭＤ１．５と異なり、リードインエリアには、Ｐ−ＴＯＣ及びＵ−ＴＯＣではなく、Ｐ−ＴＯＰと呼ばれる管理情報が記録される。従って、例えばＵ−ＴＯＣが存在するか否かで次世代ＭＤ１．５と次世代ＭＤ２とのディスク種別を判別することができる。
【０１６８】
（６）記録再生装置を搭載したディスクドライブ装置
次に、上述の通信制御装置１０４としてのＰＣに接続される記録再生装置１０３の一具体例としてのディスクドライブ装置について説明する。
【０１６９】
図１９は、前記光ディスク記録再生装置１１をメディアドライブ部１１として備えるディスクドライブ装置１０の構成を示す。ディスクドライブ装置１０は、上述した通信制御装置としてのパーソナルコンピュータ（以下、ＰＣと記す。）１００と接続でき、次世代ＭＤ１及び次世代ＭＤ２にオーディオデータを記録するだけでなく、ＰＣ等の外部ストレージとして使用できる。
【０１７０】
ディスクドライブ装置１０は、図１９に示すように、光ディスク判別装置を内蔵しているメディアドライブ部１１と、メモリ転送コントローラ１２と、クラスタバッファメモリ１３と、補助メモリ１４と、ＵＳＢインタフェース１５、１６と、ＵＳＢハブ１７と、ドライブコントローラ１８と、オーディオ処理部１９とを備える。
【０１７１】
メディアドライブ部１１は、装填された従来ミニディスク、次世代ＭＤ１、及び次世代ＭＤ２等の個々のディスク９０に対する記録／再生を行う。メディアドライブ部（光ディスク記録再生装置）１１の内部構成は、図１８を用いて説明している。
【０１７２】
メモリ転送コントローラ１２は、メディアドライブ部１１からの再生データやメディアドライブ部１１に供給する記録データの送受制御を行う。クラスタバッファメモリ１３は、メディアドライブ部１１によってディスク９０のデータトラックから高密度データクラスタ単位で読み出されたデータをメモリ転送コントローラ１２の制御に基づいてバッファリングする。補助メモリ１４は、メディアドライブ部１１によってディスク９０から読み出されたＵＴＯＣデータ、ＣＡＴデータ、ユニークＩＤ、ハッシュ値等の各種管理情報や特殊情報をメモリ転送コントローラ１２の制御に基づいて記憶する。
【０１７３】
ドライブコントローラ１８は、ＵＳＢインタフェース１６、ＵＳＢハブ１７を介して接続されたＰＣ１００との間で通信可能とされ、このＰＣ１００との間の通信制御を行って、書込要求、読出要求等のコマンドの受信やステイタス情報、その他の必要情報の送信等を行うとともに、ディスクドライブ装置１０全体を統括制御している。
【０１７４】
ドライブコントローラ１８は、例えば、ディスク９０がメディアドライブ部１１に装填された際に、ディスク９０からの管理情報等の読み出しをメディアドライブ部１１に指示し、メモリ転送コントローラ１２によって読み出されたＰＴＯＣ、ＵＴＯＣ等の管理情報等を補助メモリ１４に格納させる。
【０１７５】
ドライブコントローラ１８は、これらの管理情報を読み込むことによって、ディスク９０のトラック記録状態を把握できる。また、ＣＡＴを読み込ませることにより、データトラック内の高密度データクラスタ構造を把握でき、ＰＣ１００からのデータトラックに対するアクセス要求に対応できる状態となる。
【０１７６】
また、ユニークＩＤやハッシュ値により、ディスク認証処理及びその他の処理を実行したり、これらの値をＰＣ１００に送信し、ＰＣ１００上でディスク認証処理及びその他の処理を実行させる。
【０１７７】
ドライブコントローラ１８は、ＰＣ１００から、あるＦＡＴセクタの読出要求があった場合、メディアドライブ部１１に対して、このＦＡＴセクタを含む高密度データクラスタの読み出しを実行する旨の信号を与える。読み出された高密度データクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読み出しは必要ない。
【０１７８】
このとき、ドライブコントローラ１８は、クラスタバッファメモリ１３に書き込まれている高密度データクラスタのデータから、要求されたＦＡＴセクタのデータを読み出す信号を与え、ＵＳＢインタフェース１５、ＵＳＢハブ１７を介して、ＰＣ１００に送信するための制御を行う。
【０１７９】
また、ドライブコントローラ１８は、ＰＣ１００から、あるＦＡＴセクタの書込要求があった場合、メディアドライブ部１１に対して、このＦＡＴセクタを含む高密度データクラスタの読み出しを実行させる。読み出された高密度データクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読み出しは必要ない。
【０１８０】
また、ドライブコントローラ１８は、ＰＣ１００から送信されたＦＡＴセクタのデータ（記録データ）をＵＳＢインタフェース１５を介してメモリ転送コントローラ１２に供給し、クラスタバッファメモリ１３上で該当するＦＡＴセクタのデータの書換を実行させる。
【０１８１】
また、ドライブコントローラ１８は、メモリ転送コントローラ１２に指示して、必要なＦＡＴセクタが書き換えられた状態でクラスタバッファメモリ１３に記憶されている高密度データクラスタのデータを記録データとしてメディアドライブ部１１に転送させる。このとき、メディアドライブ部１１は、装着されている媒体が従来ミニディスクであればＥＦＭ変調方式で、次世代ＭＤ１又は次世代ＭＤ２であればＲＬＬ（１−７）ＰＰ変調方式で高密度データクラスタの記録データを変調して書き込む。
【０１８２】
なお、ディスクドライブ装置１０において、上述した記録再生制御は、データトラックを記録再生する際の制御であり、ＭＤオーディオデータ（オーディオトラック）を記録再生する際のデータ転送は、オーディオ処理部１９を介して行われる。
【０１８３】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【０１８４】
ディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【０１８５】
メディアドライブ部１１では、転送された圧縮データを第１の変調方式ＥＦＭ変調方式又はＲＬＬ（１−７）ＰＰ変調方式で変調してディスク９０にオーディオトラックとして書き込む。
【０１８６】
メディアドライブ部１１は、ディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【０１８７】
なお、この図１９に示す構成は、一例であって、例えば、ディスクドライブ装置１をＰＣ１００に接続してデータトラックのみ記録再生する外部ストレージ機器として使用する場合は、オーディオ処理部１９は、不要である。一方、オーディオ信号を記録再生することを主たる目的とする場合、オーディオ処理部１９を備え、さらにユーザインタフェースとして操作部や表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インタフェースのほか、汎用の接続インタフェースが適用できる。
【０１８８】
データ領域に対するアクセスでは、例えば、外部のＰＣ１００からディスクドライブ装置１０のドライブコントローラ１８に対して、ＵＳＢインタフェース１６を経由して「論理セクタ（以下、ＦＡＴセクタと記す。）」単位で記録又は再生する指示が与えられる。データクラスタは、ＰＣ１００からみれば、２０４８バイト単位に区切られてＵＳＮの昇順にＦＡＴファイルシステムに基づいて管理されている。一方、ディスク９０におけるデータトラックの最小書換単位は、それぞれ６５，５３６バイトの大きさを有した次世代ＭＤクラスタであり、この次世代ＭＤクラスタには、ＬＣＮが与えられている。
【０１８９】
ＦＡＴにより参照されるデータセクタのサイズは、次世代ＭＤクラスタよりも小さい。そのため、ディスクドライブ装置１０では、ＦＡＴにより参照されるユーザセクタを物理的なＡＤＩＰアドレスに変換するとともに、ＦＡＴにより参照されるデータセクタ単位での読み書きをクラスタバッファメモリ１３を用いて、次世代ＭＤクラスタ単位での読み書きに変換する必要がある。
【０１９０】
このようなディスクドライブ装置を上述の懸賞システムにおける記録再生装置として使用すれば、装填されたＭＤが第１世代ＭＤ、次世代ＭＤ１、又は次世代ＭＤ２か等のディスク判別をし、例えば次世代ＭＤ２であると判別した場合に、ディスクのＵＩＤをＰＣ１００に送り自動的に懸賞応募するようにすることができる。
【図面の簡単な説明】
【０１９１】
【図１】本発明の実施の形態における懸賞システムを示すブロック図である。
【図２】（ａ）及び（ｂ）は、それぞれ当選ＵＩＤデータベース１０７及び提供コンテンツデータベース１０８を示す図である。
【図３】通信制御装置における懸賞獲得までの処理方法を示すフローチャートである。
【図４】懸賞管理サーバにおける懸賞獲得までの処理方法を示すフローチャートである。
【図５】本発明の実施の形態における変形例を示す図であって、懸賞品としてオーディオデータ及びネットマネーを賞品とする場合の懸賞システムを示す模式図である
【図６】上記変形例における残金データベースを示す図である。
【図７】ＵＩＤ記録エリアがミラー部に設けられた、本実施の形態に好適に使用可能な光磁気ディスクの具体例を示す図である。
【図８】上記光磁気ディスクのゾーン分割を示す図である。
【図９】上記光磁気ディスクのゾーン内でのウォブルの波数を概略的に示す図である。
【図１０】上記光磁気ディスクにおける隣接トラック間のウォブルの波数を同じにした様子を示す図である。
【図１１】次世代ＭＤ２に対して情報信号を記録再生する記録再生装置のブロック図である。
【図１２】上記記録再生装置におけるＡＤＩＰデコーダの詳細な構成を示すブロック図である。
【図１３】次世代ＭＤ２のデータフォーマットを示す図である。
【図１４】上記次世代ＭＤ２におけるＵＩＤのフォーマットを示す図である。
【図１５】（ａ）乃至（ｃ）は、それぞれＵＩＤレコードブロックを示す図、ＵＩＤコードのフォーマットを示す図、及びＵＩＤレコードブロックの配列順を模式的に示す図である。
【図１６】ＵＩＤデコーダ（ＵＩＤ検出回路）の一例を示すブロック図である。
【図１７】上記ＵＩＤを読み出すときの光ディスク記録再生装置側での処理手順を示すフローチャートである。
【図１８】ミニディスク（第１世代ＭＤ）、次世代ＭＤ１及び次世代ＭＤ２を記録再生するための記録再生装置の構成を示すブロック図である。
【図１９】図１８に示す記録再生装置を搭載したディスクドライブ装置の構成を示すブロック図である。
【符号の説明】
【０１９２】
１０１，１１１  懸賞システム、１０２  ディスク、１０３  記録再生装置、１０４  通信制御装置、１０５  ネットワーク、１０６  懸賞管理サーバ、１０９  金銭管理サーバ、１１０  商品提供サイト
【図１】
2005078594.tif 000003
【図２】
2005078594.tif 000004
【図３】
2005078594.tif 000005
【図４】
2005078594.tif 000006
【図５】
2005078594.tif 000007
【図６】
2005078594.tif 000008
【図７】
2005078594.tif 000009
【図８】
2005078594.tif 000010
【図９】
2005078594.tif 000011
【図１０】
2005078594.tif 000012
【図１１】
2005078594.tif 000013
【図１２】
2005078594.tif 000014
【図１３】
2005078594.tif 000015
【図１４】
2005078594.tif 000016
【図１５】
2005078594.tif 000017
【図１６】
2005078594.tif 000018
【図１７】
2005078594.tif 000019
【図１８】
2005078594.tif 000020
【図１９】
2005078594.tif 000021